Podtech/llm-jp-corpus-v4-ja_patent huggingface dataset:
【手続補正書】
【提出日】令和2年10月28日(2020.10.28)
【手続補正１】
【補正対象書類名】明細書
【補正対象項目名】００１５
【補正方法】変更
【補正の内容】
【００１５】
本発明におけるシュードモナス属細菌は、特に限定されないが、植物保護作用を有するものが好適に用いられる。その具体例としては、シュードモナス  プロテゲンス（Ｐｓｅｕｄｏｍｏｎａｓ  ｐｒｏｔｅｇｅｎｓ）、シュードモナス  フルオレッセンス（Ｐｓｅｕｄｏｍｏｎａｓ  ｆｌｕｏｒｅｓｃｅｎｓ）、シュードモナス  シリンゲ（Ｐｓｅｕｄｏｍｏｎａｓ  ｓｙｒｉｎｇａｅ）、シュードモナス  クロロラフィス（Ｐｓｅｕｄｏｍｏｎａｓ  ｃｈｌｏｒｏｒａｐｈｉｓ）、シュードモナス  シンキサンタ（Ｐｓｅｕｄｏｍｏｎａｓ  ｓｙｎｘａｎｔｈａ）、シュードモナス  ブラシカセアルム（Ｐｓｅｕｄｏｍｏｎａｓ  ｂｒａｓｓｉｃａｃｅａｒｕｍ）、シュードモナス  プチダ（Ｐｓｅｕｄｏｍｏｎａｓ  ｐｕｔｉｄａ）、及びシュードモナス  ロデシア（Ｐｓｅｕｄｏｍｏｎａｓ  ｒｈｏｄｅｓｉａｅ）等が挙げられる。また、本発明では、シュードモナス（Ｐｓｅｕｄｏｍｏｎａｓ）ｓｐ．  Ｏｓ１７株、及びシュードモナス（Ｐｓｅｕｄｏｍｏｎａｓ）ｓｐ．  Ｓｔ２９株も利用することができ、これらの細菌は独立行政法人製品評価技術基盤機構（Ｎａｔｉｏｎａｌ  Ｉｎｓｔｉｔｕｔｅ  ｏｆ  Ｔｅｃｈｎｏｌｏｇｙ  ａｎｄ  Ｅｖａｌｕａｔｉｏｎ（ＮＩＴＥ））  バイオテクノロジーセンター  特許微生物寄託センター（ＮＰＭＤ）において、それぞれ受託番号ＮＩＴＥ  Ｐ−０２０５３及び受託番号ＮＩＴＥ  Ｐ−０２０５４として寄託されている。好ましくは、シュードモナス  プロテゲンス、シュードモナスｓｐ．  Ｏｓ１７株、及びシュードモナスｓｐ．  Ｓｔ２９株が本発明において使用される。シュードモナス  プロテゲンスの細菌株のうち、好ましくはシュードモナス  プロテゲンスＣＨＡ０株、及びシュードモナス  プロテゲンスＣａｂ５７株が用いられるが、特にこれらに限定されない。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
少なくとも一方の表面に、多数の凹部と多数の凸部とを有しており、前記凹部は、底部が連続した溝形状を有し、隣接する前記凹部が平行して規則的に並列している自動車用フロントガラス用中間膜であって、
前記底部が連続した溝形状の凹部の傾きが、該自動車用フロントガラス用中間膜製造時の膜の流れ方向に対して３５°以上であり、
前記底部が連続した溝形状の凹部の間隔Ｓｍが４１６μｍ以下である
ことを特徴とする自動車用フロントガラス用中間膜。
【請求項２】
凸部の先端部粗さが３０μｍ以下であることを特徴とする請求項１記載の自動車用フロントガラス用中間膜。
【請求項３】
凸部の先端の回転半径が２０μｍ以上であることを特徴とする請求項１又は２記載の自動車用フロントガラス用中間膜。
【請求項４】
請求項１、２又は３記載の自動車用フロントガラス用中間膜を、前記自動車用フロントガラス用中間膜製造時の膜の流れ方向に巻き取って成ることを特徴とするロール状体。
【請求項５】
請求項１、２又は３記載の自動車用フロントガラス用中間膜が、一対のガラス板の間に積層されていることを特徴とする自動車用フロントガラス。
【請求項６】
少なくとも２枚のガラス板の間に請求項１、２又は３記載の自動車用フロントガラス用中間膜が積層された積層体をゴムバックに入れて減圧吸引し、ガラス板と中間膜との間に残留する空気を脱気しながら予備圧着する工程と、前記予備圧着後の積層体を加熱加圧して本圧着を行う工程を有することを特徴とする自動車用フロントガラスの製造方法。
【手続補正２】
【補正対象書類名】明細書
【補正対象項目名】発明の名称
【補正方法】変更
【補正の内容】
【発明の名称】自動車用フロントガラス用中間膜、ロール状体、自動車用フロントガラス及び自動車用フロントガラスの製造方法
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
筒状の容器と、
当該容器の内部と連通し、内面にメッシュを有する揚水管と、
前記揚水管の内部にエアを供給するエアポンプと、を備える
ことを特徴とする水生生物の飼育装置。
【請求項２】
前記容器は、
上下面が開放された筒状の本体と、
前記本体の上面を塞ぐとともに、当該本体に対して着脱自在に取り付けられる蓋とを含み、前記揚水管は、前記蓋に接続される
請求項１に記載の水生生物の飼育装置。
【請求項３】
前記容器と揚水管を含む構造体は、水よりも重く設定され、吊り下げることで水中に沈下可能である  
請求項１または２に記載の水生生物の飼育装置。
【請求項４】
前記容器、メッシュ構造、揚水管を含む構造体を複数含むとともに、
前記構造体は、共通のエアポンプからエアが供給される
請求項１から３のいずれか一項に記載の水生生物の飼育装置。
【請求項５】
メッシュ構造で形成された下面を有する筒状の容器と、
前記容器の上面に接続され、当該容器の内部と連通する揚水管と、
前記揚水管の基部に接続される送気管と、
前記送気管を通じて前記揚水管の内部にエアを供給するエアポンプと、を備える飼育装置によって水生生物を飼育することを特徴とする水生生物の飼育方法。
【請求項６】
前記揚水管の内面に、前記容器内に収容される水生生物の大きさに応じた網目を有するメッシュを備える
請求項５に記載の水生生物の飼育方法。
【請求項７】
前記容器は、
上下面が開放された筒状の本体と、
前記本体の上面を塞ぐとともに、当該本体に対して着脱自在に取り付けられる蓋とを含み、
前記揚水管は、前記蓋に接続される
請求項５又は６に記載の水生生物の飼育方法。
【請求項８】
前記送気管にエアの供給量を調節するバルブを設け、
前記バルブの開閉量によって、揚水量を可変とした
請求項５から７の何れか一項に記載の水生生物の飼育方法。
【請求項９】
前記容器と揚水管を含む構造体は、水よりも重く設定され、吊り下げることで水中に沈下可能である
請求項５から８の何れか一項に記載の水生生物の飼育方法。
【請求項１０】
前記容器、メッシュ構造、揚水管、及び送気管を含む構造体を複数含むとともに、
前記構造体に含まれる各送気管に共通のエアポンプから供給されるエアを分配する
請求項５から９の何れか一項に記載の水生生物の飼育方法。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
ポリヌクレオチドまたはポリヌクレオチドのセットであって、（ｉ）第一のポリヌクレオチドおよび（ｉｉ）第二のポリヌクレオチドを含み、ここで、
（ｉ）前記第一のポリヌクレオチドが、
（ａ）ｖｏｎ  Ｗｉｌｌｅｂｒａｎｄ因子（ＶＷＦ）断片であって、ＶＷＦのＤ１ドメイン、Ｄ２ドメイン、Ｄ’ドメイン、およびＤ３ドメインを含む、ＶＷＦ断片
（ｂ）第一のＸＴＥＮ配列、および
（ｃ）第一のＦｃ領域
を含む第一のポリペプチド鎖をコードし、
（ｉｉ）前記第二のポリヌクレオチドが、
（ａ）第ＶＩＩＩ因子（ＦＶＩＩＩ）タンパク質であって、前記ＦＶＩＩＩタンパク質中に挿入された第二のＸＴＥＮ配列を有する、ＦＶＩＩＩタンパク質、および
（ｂ）第二のＦｃ領域
を含む第二のポリペプチド鎖をコードし、ここで、
前記第一のＸＴＥＮ配列が、リンカーにより前記第一のＦｃ領域と連結されており、
前記第一のＸＴＥＮ配列が、配列番号１３１と少なくとも８０％同一であるアミノ酸配列を含み、
前記第二のＸＴＥＮ配列が、配列番号３９と少なくとも８０％同一であるアミノ酸配列を含み、
前記第一のＦｃ領域が、ジスルフィド結合により前記第二のＦｃ領域と連結される、
ポリヌクレオチドまたはポリヌクレオチドのセット。
【請求項２】
前記第二のポリヌクレオチドにコードされる前記ＦＶＩＩＩタンパク質が、Ｂドメインまたはその一部を含む、請求項１に記載のポリヌクレオチドまたはポリヌクレオチドのセット。
【請求項３】
前記第二のポリヌクレオチドにコードされる前記ＦＶＩＩＩタンパク質が、全長成熟型ヒト第ＶＩＩＩ因子（配列番号４）のアミノ酸１〜７４５を含み、前記第二のＸＴＥＮ配列が、全長成熟型ヒトＦＶＩＩＩ（配列番号４）の７４５残基に対応する挿入部位のすぐ下流で前記ＦＶＩＩＩタンパク質中に挿入される、請求項１〜２のいずれか一項に記載のポリヌクレオチドまたはポリヌクレオチドのセット。
【請求項４】
前記第二のポリヌクレオチドにコードされる前記ＦＶＩＩＩタンパク質が、一本鎖ＦＶＩＩＩアイソフォームである、請求項１〜３のいずれか一項に記載のポリヌクレオチドまたはポリヌクレオチドのセット。
【請求項５】
前記第一のポリヌクレオチドにコードされるＶＷＦの前記Ｄ’ドメインが、配列番号２のアミノ酸７６４〜８６６と少なくとも９５％同一であるアミノ酸配列を含む、請求項１〜４のいずれか一項に記載のポリヌクレオチドまたはポリヌクレオチドのセット。
【請求項６】
前記第一のポリヌクレオチドにコードされるＶＷＦの前記Ｄ’ドメインが、配列番号２のアミノ酸７６４〜８６６に記載のアミノ酸配列を含む、請求項１〜５のいずれか一項に記載のポリヌクレオチドまたはポリヌクレオチドのセット。
【請求項７】
前記第一のポリヌクレオチドにコードされるＶＷＦの前記Ｄ３ドメインが、配列番号２のアミノ酸８６７〜１２４０と少なくとも９５％同一であるアミノ酸配列を含む、請求項１〜６のいずれか一項に記載のポリヌクレオチドまたはポリヌクレオチドのセット。
【請求項８】
前記第一のポリヌクレオチドにコードされる前記ＶＷＦ断片が、配列番号２のアミノ酸２３〜１２４０と少なくとも９９％同一であるアミノ酸配列を含む、請求項１〜７のいずれか一項に記載のポリヌクレオチドまたはポリヌクレオチドのセット。
【請求項９】
前記第一のポリペプチド鎖が、配列番号１１９のアミノ酸配列と少なくとも９０％同一であるアミノ酸配列を含む、請求項１〜８のいずれか一項に記載のポリヌクレオチドまたはポリヌクレオチドのセット。
【請求項１０】
前記第二のポリペプチド鎖が、配列番号１０３のアミノ酸配列と少なくとも８０％同一であるアミノ酸配列を含む、請求項１〜９のいずれか一項に記載のポリヌクレオチドまたはポリヌクレオチドのセット。
【請求項１１】
ポリヌクレオチドまたはポリヌクレオチドのセットであって、第一のポリヌクレオチドおよび第二のポリヌクレオチドを含み、ここで、
前記第一のポリヌクレオチドが、配列番号１１９と少なくとも８０％同一であるアミノ酸配列を含む第一のポリペプチド鎖をコードし、
前記第二のポリヌクレオチドが、配列番号１０３と少なくとも８０％同一であるアミノ酸配列を含む第二のポリペプチド鎖をコードする、ポリヌクレオチドまたはポリヌクレオチドのセット。
【請求項１２】
Ｐａｉｒｅｄ  ｂａｓｉｃ  Ａｍｉｎｏ  ａｃｉｄ  Ｃｌｅａｖｉｎｇ  Ｅｎｚｙｍｅ（ＰＡＣＥ）をコードするポリヌクレオチドをさらに含む、請求項１〜１１のいずれか一項に記載のポリヌクレオチドまたはポリヌクレオチドのセット。
【請求項１３】
請求項１〜１２のいずれか一項に記載のポリヌクレオチドまたはポリヌクレオチドのセットを含む、宿主細胞。
【請求項１４】
前記宿主細胞が、哺乳類細胞である、請求項１３に記載の宿主細胞。
【請求項１５】
前記哺乳類細胞が、ＨＥＫ２９３細胞、ＣＨＯ細胞、またはＢＨＫ細胞である、請求項１４に記載の宿主細胞。
【請求項１６】
前記哺乳類細胞が、ＨＥＫ２９３細胞である、請求項１５に記載の宿主細胞。
【請求項１７】
前記哺乳類細胞が、ＨＥＫ２９３Ｆ細胞である、請求項１４に記載の宿主細胞。
【請求項１８】
前記宿主細胞が、前記ポリヌクレオチドまたはポリヌクレオチドのセットで安定的にトランスフェクトされている、請求項１４〜１７のいずれか一項に記載の宿主細胞。
【請求項１９】
請求項１８に記載の宿主細胞を含む、安定細胞株。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
細管形成促進剤または抗細管形成剤のスクリーニング方法であって、
ヒドロゲル組成物を製造すること、ここで、該ヒドロゲル組成物は、8-アーム,20 kDaのノルボルネンで官能化されたポリエチレングリコール、架橋ペプチド、および0.25 mM〜1 mMの細胞接着ペプチドを含み、
該細胞接着ペプチドが、CRGDS(配列番号： 2)、アセチル化GCYGRGDSPG(配列番号：31)、環状RGD[Fd]C(配列番号：33)、CRGD-(G)13-PHSRN(配列番号：29)、CPHSRN-(SG)5-RGD(配列番号：30)、RKRLQVQLSIRT(配列番号：37)、IKVAV(配列番号：38)、YIGSR(配列番号：39)、KRTGQYKL(配列番号：40)、TYRSRKY(配列番号：41)、KRTGQYKLGSKTGPGQK(配列番号：42)、QAKHKQRKRLKSSC(配列番号：43)、およびSPKHHSQRARKKKNKNC(配列番号：44)からなる群から選ばれるアミノ酸配列を含み；
細管形成を促進または減少させると思われる作用剤を提供すること；
細胞を、該ヒドロゲル組成物および該作用剤に接触させること；および
細胞を分析すること；
を含む方法。
【請求項２】
該作用剤が該ヒドロゲル組成物にカップリングする、請求項１に記載の方法。
【請求項３】
該作用剤が細胞培養培地内に含まれ、細胞培養培地が該ヒドロゲル組成物に接触する、請求項１または２に記載の方法。
【請求項４】
架橋ペプチドが、KCGGPQGIWGQGCK(配列番号：27)およびKCGGPQGIAGQGCK(配列番号：28)からなる群から選ばれるアミノ酸配列を含む、請求項１〜３のいずれかに記載の方法。
【請求項５】
細胞が、胚性幹細胞、胚性幹細胞由来の神経細胞、胚性幹細胞由来の神経前駆細胞、胚性幹細胞由来の星状膠細胞、胚性幹細胞由来の小膠細胞、胚性幹細胞由来の内皮細胞、胚性幹細胞由来の網膜色素上皮細胞、誘導多能性幹細胞、誘導多能性幹細胞由来の神経前駆細胞、誘導多能性幹細胞由来の星状膠細胞、誘導多能性幹細胞由来の小膠細胞、誘導多能性幹細胞由来の内皮細胞、誘導多能性幹細胞由来の網膜色素上皮細胞、間葉系幹細胞、臍帯静脈内皮細胞、NIH 3T3線維芽細胞、皮膚線維芽細胞、線維肉腫細胞、弁間質細胞、心筋細胞、誘導多能性幹細胞由来の心筋細胞、内皮前駆細胞、循環脈管形成細胞、神経細胞、周皮細胞、癌細胞、肝細胞、膵臓β細胞、膵島細胞およびその組合せからなる群から選ばれる、請求項１〜４のいずれかに記載の方法。
【請求項６】
細管形成を促進する方法であって、
ヒドロゲル組成物を製造すること、ここで、該ヒドロゲル組成物は、8-アーム,20 kDaのノルボルネンで官能化されたポリエチレングリコール、架橋ペプチド、および0.25 mM〜1 mMの細胞接着ペプチドを含み、
該細胞接着ペプチドが、CRGDS(配列番号： 2)、アセチル化GCYGRGDSPG(配列番号：31)、環状RGD[Fd]C(配列番号：33)、CRGD-(G)13-PHSRN(配列番号：29)、CPHSRN-(SG)5-RGD(配列番号：30)、RKRLQVQLSIRT(配列番号：37)、IKVAV(配列番号：38)、YIGSR(配列番号：39)、KRTGQYKL(配列番号：40)、TYRSRKY(配列番号：41)、KRTGQYKLGSKTGPGQK(配列番号：42)、QAKHKQRKRLKSSC(配列番号：43)、およびSPKHHSQRARKKKNKNC(配列番号：44)からなる群から選ばれるアミノ酸配列を含み；
該ヒドロゲル組成物に接触している培養培地を提供すること；
該ヒドロゲル組成物に接触している培養培地に、細胞を接触させること；および
細胞を分析すること；
を含む方法。
【請求項７】
架橋ペプチドが、KCGGPQGIWGQGCK(配列番号：27)およびKCGGPQGIAGQGCK(配列番号：28)からなる群から選ばれるアミノ酸配列を含む、請求項６に記載の方法。
【請求項８】
細胞が、胚性幹細胞、胚性幹細胞由来の神経細胞、胚性幹細胞由来の神経前駆細胞、胚性幹細胞由来の星状膠細胞、胚性幹細胞由来の小膠細胞、胚性幹細胞由来の内皮細胞、胚性幹細胞由来の網膜色素上皮細胞、誘導多能性幹細胞、誘導多能性幹細胞由来の神経前駆細胞、誘導多能性幹細胞由来の星状膠細胞、誘導多能性幹細胞由来の小膠細胞、誘導多能性幹細胞由来の内皮細胞、誘導多能性幹細胞由来の網膜色素上皮細胞、間葉系幹細胞、臍帯静脈内皮細胞、NIH 3T3線維芽細胞、皮膚線維芽細胞、線維肉腫細胞、弁間質細胞、心筋細胞、誘導多能性幹細胞由来の心筋細胞、内皮前駆細胞、循環脈管形成細胞、神経細胞、周皮細胞、癌細胞、肝細胞、膵臓β細胞、膵島細胞およびその組合せからなる群から選ばれる、請求項６または７のいずれかに記載の方法。
【請求項９】
細管形成が、内皮細胞細管ネットワーク形成を含む、請求項６〜８のいずれかに記載の方法。
【請求項１０】
8-アーム,20 kDaのノルボルネンで官能化されたポリエチレングリコール、架橋ペプチド、および0.25 mM〜1 mMの細胞接着ペプチドを含むヒドロゲル組成物であって、
該細胞接着ペプチドが、CRGDS(配列番号： 2)、アセチル化GCYGRGDSPG(配列番号：31)、環状RGD[Fd]C(配列番号：33)、CRGD-(G)13-PHSRN(配列番号：29)、CPHSRN-(SG)5-RGD(配列番号：30)、RKRLQVQLSIRT(配列番号：37)、IKVAV(配列番号：38)、YIGSR(配列番号：39)、KRTGQYKL(配列番号：40)、TYRSRKY(配列番号：41)、KRTGQYKLGSKTGPGQK(配列番号：42)、QAKHKQRKRLKSSC(配列番号：43)、およびSPKHHSQRARKKKNKNC(配列番号：44)からなる群から選ばれるアミノ酸配列を含む、
ヒドロゲル組成物。
【請求項１１】
0.1 kPa〜300 kPaの範囲の弾性率を有する、請求項１０に記載のヒドロゲル組成物。
【請求項１２】
ポリエチレングリコールの濃度が、36 mg/mL〜70 mg/mLである、請求項１０または１１に記載のヒドロゲル組成物。
【請求項１３】
30%〜70%の架橋を含む、請求項１０〜１２のいずれかに記載のヒドロゲル組成物。
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
粒状の物品（１）を殺菌および／または滅菌する方法であって、以下のステップ、すなわち
ａ）電子ビーム（５）を生成するステップと、
ｂ）前記電子ビーム（５）により処理領域（３）内で前記物品（１）を殺菌および／または滅菌するステップと
を有し、その際に、
−前記電子ビーム（５）の電子が、８０ｋｅＶ〜３００ｋｅＶ、好適には１４０ｋｅＶ〜２８０ｋｅＶ、特に好適には１８０ｋｅＶ〜２６０ｋｅＶの範囲にあるエネルギを有しており、
−前記電子ビーム（５）は、前記処理領域（３）内で、１０１５ｓ−１・ｃｍ−２〜２．７７・１０１５ｓ−１・ｃｍ−２の範囲にある平均電子流密度を有しており、
−前記物品（１）は、５ｍｓ〜２５ｍｓの範囲にある処理時間の間、前記電子ビーム（５）にさらされる、
粒状の物品（１）を殺菌および／または滅菌する方法。
【請求項２】
前記物品（１）を、前記電子ビーム（５）により、１ｋＧｙ〜４５ｋＧｙ、好適には８ｋＧｙ〜３０ｋＧｙ、特に好適には１０ｋＧｙ〜１６ｋＧｙの範囲にある線量にさらす、請求項１記載の方法。
【請求項３】
前記物品（１）を、ステップｂ）の前に個別化する、請求項１または２記載の方法。
【請求項４】
前記個別化を、振動を励起している振動面によって達成する、請求項３記載の方法。
【請求項５】
前記振動面は、１つまたは複数の溝を有している、請求項４記載の方法。
【請求項６】
前記個別化を、前記物品が滑り落ちる滑り面によって達成する、請求項３から５までのいずれか１項記載の方法。
【請求項７】
前記物品（１）が前記処理領域（３）を通って自由落下する、請求項１から６までのいずれか１項記載の方法。
【請求項８】
前記物品の処理量が、１００ｋｇ／ｈ〜１０００ｋｇ／ｈの範囲である、請求項１から７までのいずれか１項記載の方法。
【請求項９】
前記物品（１）が、１ｍ／ｓ〜５ｍ／ｓ、好適には２ｍ／ｓ〜４ｍ／ｓ、特に好適には２ｍ／ｓ〜３ｍ／ｓの範囲にある速度（ｖ）で前記処理領域（３）を通って移動する、請求項１から８までのいずれか１項記載の方法。
【請求項１０】
前記物品（１）が、１ｍ／ｓ〜５ｍ／ｓ、好適には２ｍ／ｓ〜４ｍ／ｓ、特に好適には２ｍ／ｓ〜３ｍ／ｓに及ぶ速度で前記処理領域を通って移動する、請求項１から９までのいずれか１項記載の方法。
【請求項１１】
前記物品（１）を、
−たとえばダイズのような穀物、朝食用シリアル、スナック、たとえばドライココナッツのようなナッツ、アーモンド、ピーナッツバター、カカオ豆、チョコレート、チョコレート液、チョコレートパウダー、チョコレートチップ、カカオ製品、豆果、コーヒー、たとえばパンプキンシードのような種子、香辛料（たとえば、特にスライスしたターメリック）、ブレンド茶、ドライフルーツ、ピスタチオ、ドライプロテイン製品、ベーカリ製品、砂糖、ジャガイモ製品、生地から作った製品、ベビーフード、乾燥卵製品、たとえばダイズ豆のようなダイズ製品、増粘剤、酵母、酵母エキス、ゼラチンまたは酵素のような食料品；
から成る群から選択する、請求項１から１０までのいずれか１項記載の方法。
【請求項１２】
前記物品（１）を、
−反芻動物、家禽、水生動物（特に魚）または家畜のためのペレット、飼料、または混合飼料のようなペットフード；
から成る群から選択する、請求項１から１０までのいずれか１項記載の方法。
【請求項１３】
前記物品（１）を、
−プラスチックであって、たとえば薄片またはペレットの形のＰＥＴのようなプラスチック
から成る群から選択する、請求項１から１０までのいずれか１項記載の方法。
【手続補正２】
【補正対象書類名】明細書
【補正対象項目名】００１８
【補正方法】変更
【補正の内容】
【００１８】
有利には、物品は、ステップｂ）における処理の前に個別化される。この個別化により、物品の各個別の粒が電子ビームにより捕捉され、したがって殺菌および／または滅菌されることを確実にすることができる。個別化は、たとえば、振動を励起し、任意で１つまたは複数の溝を有している振動面によって達成することができる。択一的または付加的には、個別化は、物品が滑り落ちる滑り面により達成することができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な設定確認制御手段と、
遊技者にとって有利な第１状態と、遊技者にとって不利な第２状態とに変化する可変手段と、
前記有利状態中に前記可変手段を前記第２状態から前記第１状態に変化させる所定遊技を複数回実行可能な所定遊技実行手段と、
前記可変手段を前記第１状態に変化させる変化期間を計時する可変計時手段と、
遊技価値を付与する遊技価値付与手段と、
前記遊技価値付与手段によって付与された遊技価値に関する情報を表示可能な情報表示手段と、を備え、
前記変化期間が計時されている間に遊技機への電力供給が停止され、その後に遊技機への電力供給が再開して前記設定確認状態に制御された場合に、該設定確認状態が終了するまで前記変化期間の計時が中断され、該設定確認状態が終了したときに前記変化期間の計時が再開され、
前記情報表示手段は、前記設定確認状態において前記設定手段により設定されている設定値に関する情報を表示可能である、
ことを特徴とする遊技機。
【手続補正２】
【補正対象書類名】明細書
【補正対象項目名】０００２
【補正方法】変更
【補正の内容】
【０００２】
従来、複数の設定値のうちのいずれかに設定可能であり、設定された設定値にもとづいて遊技者にとって有利な有利状態の制御を実行可能なパチンコ遊技機があった。このようなパチンコ遊技機において、設定値を確認するための設定確認処理では、実行中のメイン処理が全て終了したときにしか次の処理へ移行できなかった（例えば、特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１にあっては、設定確認をすぐに行いたい状況のときに、実行中の全ての処理が終わるまで待たねばならず、好適に設定確認作業を実行することできないという問題がある。
【手続補正５】
【補正対象書類名】明細書
【補正対象項目名】０００５
【補正方法】変更
【補正の内容】
【０００５】
本発明は、このような問題点に着目してなされたもので、好適に設定確認作業を実行することができる遊技機を提供することを目的とする。
【手続補正６】
【補正対象書類名】明細書
【補正対象項目名】０００６
【補正方法】変更
【補正の内容】
【０００６】
（Ａ）  遊技者にとって有利な有利状態（例えば、大当り遊技状態）に制御可能な遊技機（例えば、パチンコ遊技機１）であって、
前記有利状態に制御される確率に関する設定値を設定可能な設定手段（例えば、ＣＰＵ１０３が設定値変更処理を実行する部分）と、
前記設定手段により設定された設定値を確認可能な設定確認状態に制御可能な状態制御手段（例えば、ＣＰＵ１０３が設定値確認処理を実行する部分）と、
遊技者にとって有利な第１状態（例えば、開状態）と、遊技者にとって不利な第２状態（例えば、閉状態）と、に変化する可変手段（例えば、特別可変入賞球装置７）と、
前記有利状態中に前記可変手段を前記第２状態から前記第１状態に変化させる所定遊技（例えば、ラウンド）を複数回実行可能な所定遊技実行手段（例えば、ＣＰＵ１０３）と、
前記可変手段を前記第１状態に変化させる変化期間を計時する可変計時手段（例えば、アタッカー開放時間タイマにより計時するＣＰＵ１０３）と、
遊技価値を付与する遊技価値付与手段と、
前記遊技価値付与手段によって付与された遊技価値に関する情報（例えば、ベース値）を表示可能な情報表示手段（例えば、表示モニタ）と、を備え、
前記変化期間が計時されている間に遊技機への電力供給が停止され、その後に遊技機への電力供給が再開して前記設定確認状態に制御された場合に、該設定確認状態が終了するまで前記変化期間の計時が中断され、該設定確認状態が終了したときに前記変化期間の計時が再開され（例えば、ＣＰＵ１０３は、特別可変入賞球装置７が開状態に変化しているときに設定確認状態に制御されたことに基づいてアタッカー開放時間タイマの期間の計時を停止させ、設定確認状態が終了したことに基づいてアタッカー開放時間タイマの期間の計時を再開させる）、
前記情報表示手段は、前記設定確認状態において前記設定手段により設定されている設定値に関する情報を表示可能である（例えば、設定確認状態に制御されているときに表示モニタに設定値の表示が行われる）、ことを特徴とする。この特徴によれば、設定確認をすぐに行いたい状況のときに、好適に設定確認作業を実行することができる。
さらに、
遊技を制御可能な遊技制御手段（例えば、ＣＰＵ１０３が図５に示す特別図柄プロセス処理を実行する部分）と、
遊技の進行に応じて遊技媒体を付与する遊技媒体付与手段（例えば、遊技球が第１始動入賞口や第２始動入賞口に入賞したことにもとづいて３個の賞球が払い出される部分や、遊技球が一般入賞口１０入賞したことにもとづいて１０個の賞球が払い出される部分や、遊技球が大入賞口に入賞したことにもとづいて１４個の賞球が払い出される部分）と、
前記遊技媒体付与手段によって付与された遊技媒体の数に関する情報（例えば、ベース値）を表示可能な情報表示手段（例えば、表示モニタ２０７ＳＧ０２９）と、
を備え、
前記遊技制御手段は、特定事象の発生（例えば、図９−２に示す遊技停止エラーの発生）に応じて遊技が不能な遊技不能状態に制御可能であって（例えば、遊技停止エラーの発生を示す遊技停止フラグがセットされたことによりＣＰＵ１０３が図９−１に示すＳ２１〜Ｓ２７の処理を実行不可能となる部分）、
前記情報表示手段は、前記遊技不能状態に制御されているときに、前記情報の表示を制限する（例えば、遊技停止エラーの発生を示す遊技停止フラグがセットされたことによりＣＰＵ１０３が０１１ＳＧＳ３０４の処理を実行不可能となる部分と０１１ＳＧＳ３０５の処理を実行して表示モニタ２０７ＳＧ０２９を構成する全セグメントを消灯する部分）。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な状態制御手段と、
遊技者にとって有利な第１状態と、不利な第２状態と、に変化する可変手段と、
前記有利状態中に前記可変手段を前記第２状態から前記第１状態に変化させる所定遊技を複数回実行可能な所定遊技実行手段と、
前記可変手段が前記第１状態に変化している期間を計時する計時手段と、を備え、
前記計時手段は、前記可変手段が前記第１状態に変化しているときに前記設定確認状態に制御されたことに基づいて期間の計時を停止させ、前記設定確認状態が終了したことに基づいて期間の計時を再開させ、
さらに、
特定演出を実行する特定演出実行手段と、
前記特定演出よりも前に第１演出を実行する第１演出実行手段と、
前記特定演出よりも前に、前記第１演出とは異なる第２演出を実行する第２演出実行手段と、
前記第１演出及び前記第２演出とは異なる第３演出を実行する第３演出実行手段と、を備え、
前記第２演出の実行割合は、
前記第１演出が実行されて前記特定演出が実行されるときの方が、前記第１演出が実行されずに前記特定演出が実行されるときよりも、高く、
前記第３演出が実行されて前記特定演出が実行されるときと、前記第３演出が実行されずに前記特定演出が実行されるときとで、同じであることを特徴とする遊技機。
【手続補正２】
【補正対象書類名】明細書
【補正対象項目名】０００６
【補正方法】変更
【補正の内容】
【０００６】
（Ａ）遊技者にとって有利な有利状態（例えば、大当り遊技状態）に制御可能な遊技機（例えば、パチンコ遊技機１）であって、
前記有利状態に制御される確率に関する設定値を設定可能な設定手段（例えば、ＣＰＵ１０３が設定値変更処理を実行する部分）と、
前記設定手段により設定された設定値を確認可能な設定確認状態に制御可能な状態制御手段（例えば、ＣＰＵ１０３が設定値確認処理を実行する部分）と、
遊技者にとって有利な第１状態（例えば、開状態）と、不利な第２状態（例えば、閉状態）と、に変化する可変手段（例えば、特別可変入賞球装置７）と、
前記有利状態中に前記可変手段を前記第２状態から前記第１状態に変化させる所定遊技（例えば、ラウンド）を複数回実行可能な所定遊技実行手段（例えば、ＣＰＵ１０３）と、
前記可変手段が前記第１状態に変化している期間を計時する計時手段（例えば、アタッカー開放時間タイマにより計時するＣＰＵ１０３）と、を備え、
前記計時手段は、前記可変手段が前記第１状態に変化しているときに前記設定確認状態に制御されたことに基づいて期間の計時を停止させ、前記設定確認状態が終了したことに基づいて期間の計時を再開させ（例えば、ＣＰＵ１０３は、特別可変入賞球装置７が開状態に変化しているときに設定確認状態に制御されたことに基づいてアタッカー開放時間タイマの期間の計時を停止させ、設定確認状態が終了したことに基づいてアタッカー開放時間タイマの期間の計時を再開させる）、
さらに、
特定演出（例えば、次回予告など）を実行する特定演出実行手段（例えば、演出制御基板１２など）と、
前記特定演出よりも前に第１演出（例えば、アクティブ予告など）を実行する第１演出実行手段（例えば、演出制御基板１２など）と、
前記特定演出よりも前に、前記第１演出とは異なる第２演出（例えば、カットイン予告など）を実行する第２演出実行手段（例えば、演出制御基板１２など）と、
前記第１演出及び前記第２演出とは異なる第３演出（例えば、役物演出、説明演出など）を実行する第３演出実行手段（例えば、演出制御基板１２など）と、を備え、
前記第２演出の実行割合は、
前記第１演出が実行されて前記特定演出が実行されるときの方が、前記第１演出が実行されずに前記特定演出が実行されるときよりも、高く（例えば、図８−９参照）、
前記第３演出が実行されて前記特定演出が実行されるときと、前記第３演出が実行されずに前記特定演出が実行されるときとで、同じである（例えば、図８−９参照）。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ＳＯＸ１７及びＨＮＦ３ｂを発現するヒト胚体内胚葉細胞をインビトロで生成する方法であって、（ａ）ヒト多能性細胞幹細胞の集団を培養し、（ｂ）前記ヒト多能性幹細胞が、ＳＯＸ１７及びＨＮＦ３ｂを発現するヒト内胚葉細胞に分化するのに十分な時間、２％（ｖ／ｖ）以下の血清及び少なくとも３０ｎｇ／ｍｌのアクチビンＡを含む培地で前記集団を培養することによりヒト多能性幹細胞の集団を分化させ、ＳＯＸ１７及びＨＮＦ３ｂを発現するヒト胚体内胚葉細胞を生成させることを含み、前記ヒト胚体内胚葉細胞を含む細胞集団は、ヒト中内胚葉細胞をさらに含む、方法。
【請求項２】
培地が、（ａ）ヒト多能性幹細胞の胚体内胚葉細胞への分化を促進するのに十分な量のＢＭＰ４、又は（ｂ）ヒト多能性幹細胞の胚体内胚葉細胞への分化を促進するのに十分な量のアクチビンＢをさらに含む、請求項１に記載の方法。
【請求項３】
前記培地中のアクチビンＡの濃度が、約３０ｎｇ／ｍｌ〜５００ｎｇ／ｍｌである、請求項１に記載の方法。
【請求項４】
前記培地中のアクチビンＢの濃度が、約１０ｎｇ／ｍｌ〜５００ｎｇ／ｍｌである、請求項２に記載の方法。
【請求項５】
前記培地中のＢＭＰ４の濃度が、約１０ｎｇ／ｍｌ〜５００ｎｇ／ｍｌである、請求項２に記載の方法。
【請求項６】
前記培地が、ヒト多能性幹細胞の胚体内胚葉細胞への分化を促進するのに十分な量のＷｎｔファミリーメンバーをさらに含む、請求項１〜５のいずれか１項に記載の方法。
【請求項７】
前記ＷｎｔファミリーメンバーがＷｎｔ３Ａである、請求項６に記載の方法。
【請求項８】
前記のヒト多能性細胞幹細胞の集団が、外胚葉系列由来の細胞を実質的に含まない、請求項１〜７のいずれか１項に記載の方法。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
ウエスト開口部及び一対のレッグ開口部を有し、着用状態において着用者の腹側に配される腹側部、股間部に配される股下部及び背側に配される背側部を備え、前記腹側部から前記股下部を介して前記背側部に延びる縦方向、及び該縦方向に直交する横方向を有し、吸収性本体と該吸収性本体の非肌対向面側に配された外装体と該吸収性本体の前記縦方向に沿う両側部それぞれに該縦方向に沿って配された防漏カフとを備えたパンツ型使い捨ておむつであって、
前記背側部における前記外装体外面に、廃棄用テープが設けられており、
前記廃棄用テープは、前記背側部における前記外装体外面に固定されている固定部と、伸長部と、止着部とが、この順で該廃棄用テープの長手方向に沿って配置されているとともに、この順で積層された三つ折り状態になっており、
三つ折り状態になっている前記廃棄用テープは、前記止着部と前記伸長部との間が剥離可能に接合されているとともに、前記伸長部と前記固定部との間も剥離可能に接合されており、
前記伸長部は、三つ折り状態を解除した展開状態において前記廃棄用テープの長手方向に伸長可能であり、
前記廃棄用テープは、前記展開状態において、前記伸長部と前記止着部とが重なる第１連結領域と、前記伸長部と前記固定部とが重なる第２連結領域とを有し、前記第１及び前記第２連結領域の何れか一方又は双方は、前記伸長部と該伸長部と重なる前記止着部又は前記固定部とが接合されている接合領域と、該接合領域より前記長手方向の中央部側に位置し、前記伸長部と該伸長部と重なる前記止着部又は前記固定部とが接合されていない非接合領域とを有しており、
前記使い捨ておむつは、前記縦方向に伸縮する伸縮部として、前記レッグ開口部に沿って弾性部材が配された部分、及び前記防漏カフが具備するカフ弾性部材が配された部分を有しており、
前記使い捨ておむつの平面視において、前記伸縮部と重ならない位置に前記固定部が位置している、パンツ型使い捨ておむつ。
【請求項２】
前記廃棄用テープは、前記背側部に設けられており、且つ前記固定部の前記股下部側の端部が、前記縦方向において、前記伸縮部より前記ウエスト開口部の開口端側に位置している、請求項１に記載のパンツ型使い捨ておむつ。
【請求項３】
前記使い捨ておむつの平面視において、前記廃棄用テープと前記吸収性本体とが重なっている、請求項１又は２に記載のパンツ型使い捨ておむつ。
【請求項４】
前記第１連結領域における前記非接合領域は、三つ折り状態になっている前記廃棄用テープにおいて、前記伸長部から前記止着部が延出した部分を含んで構成されている、請求項１〜３の何れか１項に記載のパンツ型使い捨ておむつ。
【請求項５】
前記使い捨ておむつは、その周縁域に位置する低剛性領域と、該低剛性領域よりも内側に位置する高剛性領域とを有しており、
前記固定部は、少なくともその一部が、前記高剛性領域に配されている、請求項１〜４の何れか１項に記載のパンツ型使い捨ておむつ。
【請求項６】
吸収性コアを備え、該吸収性コアが、前記横方向中央に前記縦方向に延びる低坪量部を有し、該低坪量部の前記縦方向の延長線上に前記廃棄用テープが配されている、請求項１〜５の何れか１項に記載のパンツ型使い捨ておむつ。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示を実行するときの背景として、少なくとも第１背景と第２背景とを含み、
前記第１背景では、可変表示が１回実行される毎に第１楽曲を先頭から出力し、
前記第２背景では、複数回の可変表示において第２楽曲を出力し、
前記第２背景では、可変表示を開始するときに所定音を出力可能であり、
前記第１背景と、第２背景とでは、可変表示を停止するときに特定音を出力可能であり、
前記所定音を出力するときの態様が複数種類あり、該複数種類のいずれの態様で前記所定音が出力されたかに応じて、前記有利状態に制御される期待度が異なり、
前記第２背景となってから初回の可変表示を開始するときは前記所定音を出力しないことが可能であり、
前記特定音を出力するときは、前記第１背景における可変表示が停止するときと、前記第２背景にける可変表示が停止するときとで、共通の前記特定音を出力することが可能である、
ことを特徴とする遊技機。
【手続補正２】
【補正対象書類名】明細書
【補正対象項目名】０００６
【補正方法】変更
【補正の内容】
【０００６】
そのような遊技機において、演出表示手段の表示制御を行う表示制御機能を有する制御手段を備え、制御手段の温度を監視するように構成されたものがある。例えば、特許文献１には、画像生成部の画像ＣＰＵの温度を検知する温度検知センサを備え、温度検知センサが検知した温度が第１閾値より低い第２閾値に達すると、耐熱限界温度に近いことが報知され、第１閾値に達すると画像出力装置に画像が出力されなくなることが記載されている。
さらに、従来より、遊技機において、特許文献２に示されているような、複数回の識別情報の可変表示にまたがって楽曲を再生する遊技機や、特許文献３に示されているような、通常変動において先読み予告演出中に流す楽曲の一部分であるパート１の部分（通常の変動音）を繰り返し出力する遊技機があった。
【手続補正３】
【補正対象書類名】明細書
【補正対象項目名】０００７
【補正方法】変更
【補正の内容】
【０００７】
【特許文献１】特開２０１１−２０６４６８号公報（段落００５５，０１７２，０１７９）
【特許文献２】特開２０１３−３４７９９号公報
【特許文献３】特開２０１２−１２５４７１号公報
【手続補正４】
【補正対象書類名】明細書
【補正対象項目名】０００８
【補正方法】変更
【補正の内容】
【０００８】
しかしながら、上記した従来の遊技機では、再生する楽曲の制御を状況に応じて変更する場合、変動開始の認識が困難になり、遊技の興趣が低下するおそれがあった。
【手続補正５】
【補正対象書類名】明細書
【補正対象項目名】０００９
【補正方法】変更
【補正の内容】
【０００９】
そこで、本発明は、遊技の興趣を向上させた遊技機を提供することを目的とする。
【手続補正６】
【補正対象書類名】明細書
【補正対象項目名】００１０
【補正方法】変更
【補正の内容】
【００１０】
（手段１）本発明による遊技機は、
可変表示を行い、遊技者にとって有利な有利状態に制御可能な遊技機であって、可変表示を実行するときの背景として、少なくとも第１背景と第２背景とを含み、前記第１背景では、可変表示が１回実行される毎に第１楽曲を先頭から出力し、前記第２背景では、複数回の可変表示において第２楽曲を出力し、前記第２背景では、可変表示を開始するときに所定音を出力可能であり、前記第１背景と、第２背景とでは、可変表示を停止するときに特定音を出力可能であり、前記所定音を出力するときの態様が複数種類あり、該複数種類のいずれの態様で前記所定音が出力されたかに応じて、前記有利状態に制御される期待度が異なり、前記第２背景となってから初回の可変表示を開始するときは前記所定音を出力しないことが可能であり、前記特定音を出力するときは、前記第１背景における可変表示が停止するときと、前記第２背景にける可変表示が停止するときとで、共通の前記特定音を出力することが可能である、
ことを特徴とする。そのような構成によれば、複数回の可変表示に亘って楽曲を出力する状態であっても可変表示の開始タイミングが認識しやすくなり、遊技の興趣が向上する。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示がリーチ状態となったあとに、前記有利状態に制御されることを示唆する示唆演出を実行可能であり、
可変表示を実行するときの背景として、少なくとも第１背景と第２背景とを含み、
前記第１背景では、可変表示が１回実行される毎に第１楽曲を先頭から出力し、
前記第２背景では、複数回の可変表示において第２楽曲を出力し、
前記第２背景では、可変表示を開始するときに所定音を出力可能であり、
前記所定音を出力するときの態様が第１所定音と、第２所定音とを含む複数種類あり、該複数種類のいずれの態様で前記所定音が出力されたかに応じて、前記有利状態に制御される期待度が異なり、
前記第２背景となってから初回の可変表示を開始するときは前記所定音を出力しないことが可能であり、
前記第１所定音が出力される場合は、前記示唆演出を必ず実行し、
前記第２所定音が出力される場合は、前記示唆演出を実行しないことが可能である、
ことを特徴とする遊技機。
【手続補正２】
【補正対象書類名】明細書
【補正対象項目名】０００２
【補正方法】変更
【補正の内容】
【０００２】
特許文献１には、例えば、前面扉（特許文献１では、扉枠５）に設けられた窓部（特許文献１では、遊技窓１０１）を透して遊技領域が視認可能となっており、この窓部が、所定の間隔をもって互いに平行に配置される２枚の透明板である第１透過部材及び第２透過部材（特許文献１では、外側ガラス板１２０１ａ及び内側ガラス板１２０１ｂ）にて構成されるとともに、２枚の透明板のうち遊技領域側の第２透過部材（特許文献１では、内側ガラス板１２０１ｂ）の一部に孔部を形成し、演出用可動体を、該演出用可動体の一部が孔部を介して遊技領域側の第２透過部材よりも遊技者側に位置するように設けた遊技機（特許文献１では、パチンコ機）が開示されている。
さらに、従来より、遊技機において、特許文献２に示されているような、複数回の識別情報の可変表示にまたがって楽曲を再生する遊技機や、特許文献３に示されているような、通常変動において先読み予告演出中に流す楽曲の一部分であるパート１の部分（通常の変動音）を繰り返し出力する遊技機があった。
【手続補正３】
【補正対象書類名】明細書
【補正対象項目名】０００３
【補正方法】変更
【補正の内容】
【０００３】
【特許文献１】特開２００９−７８０１５号公報
【特許文献２】特開２０１３−３４７９９号公報
【特許文献３】特開２０１２−１２５４７１号公報
【手続補正４】
【補正対象書類名】明細書
【補正対象項目名】０００４
【補正方法】変更
【補正の内容】
【０００４】
しかしながら、上記した従来の遊技機では、再生する楽曲の制御を状況に応じて変更する場合、変動開始の認識が困難になり、遊技の興趣が低下するおそれがあった。
【手続補正５】
【補正対象書類名】明細書
【補正対象項目名】０００５
【補正方法】変更
【補正の内容】
【０００５】
本発明は、遊技の興趣を向上させた遊技機を提供することを目的とする。
【手続補正６】
【補正対象書類名】明細書
【補正対象項目名】０００６
【補正方法】変更
【補正の内容】
【０００６】
（１）本願の第１の観点に係る遊技機は、
可変表示を行い、遊技者にとって有利な有利状態に制御可能な遊技機であって、
可変表示がリーチ状態となったあとに、前記有利状態に制御されることを示唆する示唆演出を実行可能であり、
可変表示を実行するときの背景として、少なくとも第１背景と第２背景とを含み、
前記第１背景では、可変表示が１回実行される毎に第１楽曲を先頭から出力し、
前記第２背景では、複数回の可変表示において第２楽曲を出力し、
前記第２背景では、可変表示を開始するときに所定音を出力可能であり、
前記所定音を出力するときの態様が第１所定音と、第２所定音とを含む複数種類あり、該複数種類のいずれの態様で前記所定音が出力されたかに応じて、前記有利状態に制御される期待度が異なり、
前記第２背景となってから初回の可変表示を開始するときは前記所定音を出力しないことが可能であり、
前記第１所定音が出力される場合は、前記示唆演出を必ず実行し、
前記第２所定音が出力される場合は、前記示唆演出を実行しないことが可能である、
ことを特徴とする。そのような構成によれば、複数回の可変表示に亘って楽曲を出力する状態であっても可変表示の開始タイミングが認識しやすくなり、遊技の興趣が向上する。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
回転工具を回転させる第１の電動機に接続された少なくとも１本の電力線の電流を検知する第１の電流検知器と、
前記回転工具を移動させるために用いられる第２の電動機に接続された少なくとも１本の電力線の電流を検知する第２の電流検知器と、
前記第２の電流検知器の出力信号に対する処理の結果を元にトリガをかけて、前記第１の電流検知器からの出力信号の記録を開始するように構成された信号処理装置と、を備える
回転工具診断システム。
【請求項２】
前記信号処理装置は、
前記第２の電流検知器の出力信号に対する処理の結果をトリガに１回動作し、指定された時間、記録実行信号を出力するトリガ出力部と、
前記トリガ出力部から出力される前記記録実行信号を受信して前記第１の電流検知器からの出力信号を記録するデータ記録部と、を備える
請求項１に記載の回転工具診断システム。
【請求項３】
前記信号処理装置は、
前記第２の電流検知器の出力信号の値を閾値と比較し、前記第２の電流検知器の出力信号の値が前記閾値を超える場合には、前記第２の電流検知器の出力信号に対する処理の結果として、前記第２の電流検知器の出力信号の値が前記閾値を超えることを前記トリガ出力部へ通知する比較部、を備える
請求項２に記載の回転工具診断システム。
【請求項４】
前記信号処理装置は、
前記データ記録部による前記第１の電流検知器の出力信号の記録結果を外部装置へ送信する通信回路、を備える
請求項２又は３に記載の回転工具診断システム。
【請求項５】
電池から電源電圧を生成する電源回路、を備え、
前記信号処理装置は、前記電源回路で生成された前記電源電圧で駆動される
請求項１に記載の回転工具診断システム。
【請求項６】
前記第１の電流検知器及び前記第２の電流検知器以外の電流検知器が前記電流を検知して得た電力から電源電圧を生成する電源回路、を備え、
前記信号処理装置は、前記電源回路で生成された前記電源電圧で駆動される
請求項１に記載の回転工具診断システム。
【請求項７】
前記信号処理装置は、前記通信回路を用いて前記外部装置から動作設定値を受信し、受信した前記動作設定値に基づいて前記トリガ出力部及び前記比較部が動作するように構成されている
請求項４に記載の回転工具診断システム。
【請求項８】
前記信号処理装置は、
前記第１の電流検知器及び前記第２の電流検知器の出力信号を選択的に切り替える選択部、を備え、
前記第２の電流検知器の出力信号に対する処理の結果を元にトリガをかけて、前記選択部により前記第１の電流検知器の出力信号に切り替え、前記第１の電流検知器からの出力信号の記録を開始するように構成されている
請求項１に記載の回転工具診断システム。